(57)【特許請求の範囲】
【請求項１】
本体に設けられたクロスフローファンと、上記本体の吹出口に設けられて上記クロスフローファンからの吹き出し風を上下に偏向させる上下風向偏向板及び複数枚が相互に連結されて左右に偏向させる左右風向偏向板と、上記本体に設けられて上記左右風向偏向板の偏向角度を変化させる駆動手段と、この駆動手段による上記偏向角度の変化量を制御し上記左右風向偏向板の偏向角度が所定値よりも大きいときに冷房時には上記上下風向偏向板を下向き制御し、暖房時には上記上下風向偏向板を上向き制御する制御装置とを備えた空気調和装置の風向調整装置。
【請求項２】
本体に設けられたクロスフローファンと、上記本体の吹出口に設けられて上記クロスフローファンからの吹き出し風を上下に偏向させる上下風向偏向板及び複数枚が相互に連結されて左右に偏向させる左右風向偏向板と、上記本体に設けられて上記左右風向偏向板の偏向角度を変化させる駆動手段と、この駆動手段による上記偏向角度の変化量を制御し冷房時には上記左右風向偏向板の偏向角度を縮小制御し、暖房時には上記左右風向偏向板の偏向角度を拡大制御する制御装置とを備えた空気調和装置の風向調整装置。
【請求項３】
本体に設けられたクロスフローファンと、上記本体の吹出口に設けられて上記クロスフローファンからの吹き出し風を上下に偏向させる上下風向偏向板及び複数枚が相互に連結されて左右に偏向させる左右風向偏向板と、上記本体に設けられて上記左右風向偏向板の偏向角度を変化させる駆動手段と、この駆動手段による上記偏向角度の変化量を制御し冷房時に上記左右風向偏向板の偏向角度が所定値よりも大きいときは冷房運転開始から所定時間経過後に上記左右風向偏向板の偏向角度を縮小制御する制御装置とを備えた空気調和装置の風向調整装置。
【発明の詳細な説明】
【０００１】
【産業上の利用分野】
本発明は、吹出口に設けられる空気調和装置の風向調整装置に関するものである。
【０００２】
【従来の技術】
図１９〜図２１は、例えば実開昭５８−６９７３５号公報に示された従来の空気調和装置の風向調整装置を示す図で、図１９は空気調和装置本体の斜視図、図２０は図１９の横断面図、図２１は同じく図１９の縦断面図である。
図中、(1)は空気調和装置本体、(2)は本体(1)の前面を覆い吸込口(3)を有する前面パネル、(4)は本体(1)の前面下部に開口を有する吹出口、(5)は吸込口(3)に面して配置された熱交換器、(6)は本体(1)内に設けられ、風路(13)を形成するケーシング、(7)は吹出口(4)に設けられ左右端部に装着された軸(16)により前面パネル(2)の左右側壁(11)(15)に枢着され風向を水平、直下および斜めの各方向に変換するチェンジベーン、(8)は吹出ノズル(9)の左右辺部の壁(10)(14)間に複数枚並設され枢軸(17)で枢持され、風向を左右に変換するガイドベーン、(9)はケーシング(6)の下方に配置され、ケーシング(6)と共に風路を形成する吹出ノズル、(12)は風路(13)の吹出口(4)側に設置され、電動機(18)で駆動される送風機、(19)は軸(16)に係止されたコイルばねである。
また、図２２は図２１の右側ガイドベーン付近の詳細説明図、図２３は図２２に示したガイドベーンの斜視図である。
図中、(20)は軸(21)でガイドベーン(8)に枢着され、複数のガイドベーン(8)を同時に左右の任意角度に向けるための左右変更ロッドである。
【０００３】
次に動作について説明する。従来の空気調和装置は上記のように構成され、送風機(12)が駆動されると、室内空気は吸込口(3)から吸い込まれ、熱交換器(5)を通過して冷房時は冷却、暖房時は昇温され、風路(13)を下降して吹出口(4)から室内へ吹出される。この風の流れを矢印Ｕで示す。この風の上下方向の向きはチェンジベーン(7)で、左右方向の向きはガイドベーン(8)で調整される。ここで、ガイドベーン(8)と左右変更ロッド(20)を枢持している軸(21)とガイドベーン(8)を枢持している軸(17)とは、各々一定の間隔を成して固定されているため、全てのガイドベーン(8)は左右変更ロッド(20)に与えた変位量＋Ａのために同一の方向に向くように制御される。
ここに、チェンジベーン(7)およびガイドベーン(8)は意匠上の制約から前面パネル(2)より外部に露出させることができず、さらにチェンジベーン(7)は吹出し口を閉塞するカバーを兼用するため吹出し口最外部に配置する必要がある。従って、ガイドベーン(8)はチェンジベーン(7)よりさらに吹出し口より奥側に配置せざるを得ない。この場合の風向調整装置の作用は、図２２に示すように、例えば左右変更ロッド(20)を右へ変位量＋Ａだけ変更させ、右方向に風が吹出すようにガイドベーン(8)を向けた場合、一番右側のノズル(9)の右辺部の壁面(14)および前面パネル(2)の右側壁面(15)に当たって反射するか、または前方への直進流に偏向されて吹出される。ここで、ガイドベーンを向けた方向への風の流れをＷ２、右側壁面(15)に当たって反射するかまたは前方への直進流に偏向されて吹出される風の流れをＶ２とする。ガイドベーン(8)によって設定された吹出し流れＷ２は、最右端部において右側壁面(15)に反射しながら吹出される流れＶ２の影響を受けて、(Ｖ２＋Ｗ２)のベクトル合成方向に偏向される。そのため、空気調和機の左右の斜め方向へ吹出し風向を設定しても、この(Ｖ２＋Ｗ２)の合成方向の流れの影響を受けて、空気調和機の正面方向に偏向され、正確に吹出し方向を設定できなかった。
【０００４】
また、図２４及び図２５は、例えば実開昭６３−１４７６５０号公報に示された他の従来の空気調和機の風向変更装置を示す図で、図２４は横断面図、図２５は図２４の装置の動作状態を説明した図である。図において、(201)は吹出口、(202)は吹出口(201)の内壁、(203)は吹出口(201)に複数枚がほぼ等間隔で配置されて風向を変更するベーンで、図２４に示すように図２４における左右にそれぞれ複数枚からなる一組がそれぞれ設けられている。
(204)は内壁(202)に立設されてベーン(203)のそれぞれに配置され、ベーン(203)の一側の縁部の一端寄りを枢持した軸である。
【０００５】
(205)は一組のベーン(203)を連結した連結腕で、それぞれのベーン(203)の軸(204)が配置された縁部の他端寄りを枢持した連結軸(206)が設けられ、また、図２４における中心寄りのベーン(203)の軸(204)と連結軸(206)の間隔は、図２４における外側寄りのベーン(203)の軸(204)と連結軸(206)の間隔よりも短く設定され、図２４に示すように各ベーン(203)の軸(204)を結ぶ線に対して傾斜して配置されている。
【０００６】
図２４及び図２５に示す他の従来の空気調和機の風向変更装置は上記のように構成され、図２５に示すように左右それぞれ一組のベーン(203)を互いに図２５において下側が広がる向きに配置して使用される。この状態で図２５の中心寄りのベーン(203)の傾斜は、外側寄りのベーン(203)よりも水平に近づくので、それぞれのベーン(203)によって偏向する風向角も図２５に実線で示す矢印のように、中心寄りのベーン(203)の傾斜は外側寄りのベーン(203)よりも水平に近づく。
また、一組のベーン(203)の相互の中間部は狭い隙間が形成されるので、この隙間から吹出す風(207)は円滑に流れないため弱くなり、周囲の二次空気(208)を巻き込みベーン(203)に露(209)が生成される。
【０００７】
【発明が解決しようとする課題】
上記のような従来の空気調和装置の風向調整装置では、左右偏向ロッド(20)を大きく変位させるとガイドベーン(8)による圧力損失が増大して、風路(13)を通り吹き出し口(4)から吹き出す風量が著しく低下する。これにより、特に暖房時において温風が舞い上がって居室の床面に到達しなくなる。
また、冷房時に吹き出し風の温度が低下することから吹き出し口(4)各部や本体(1)に露が付着して運転中の居室内へ滴下したり、居室内の黴の発生の原因になったりする。そして、吹き出し気流は正面に吹き出しているときに比べて空気調和装置に近い床面に落ちて気流方向制御の精度を低下させる。
【０００８】
また、ガイドベーン(8)により風向きを大きく規制していることから、気流が剥離して冷房時に吹き出し口(4)各部に着露する。さらに、空気調和装置を居室の壁際に据付けた場合に、吹き出し気流が壁に反射して吸込口(3)から吸い込まれるため居室内に気流が循環せず快適な環境が得られなくなる。
以上のような不具合を防止するために左右風向偏向板の偏向角度を規制することが必要になる。これに対して、従来は左右風向偏向板の偏向角度が規制角度以上に回動しない構造になっている。このため、例えば着露しない暖房時においても冷房時の左右風向偏向板の偏向角度規制によって、この偏向角度以上の送風ができなくなる。
【０００９】
また、左右風向偏向板の偏向角度規制によって空気調和装置の壁際据付時において、壁のない方向に送風する角度が制約される。
以上のような理由から、左右方向の送風可能領域が制約されて狭くなるため居室全体への送風が困難となって、温度の不均一が発生して快適性が損なわれるという問題点があった。
【００１０】
本発明は上記のような問題点を解消するためになされたものであり、この発明の目的は左右方向の送風可能領域を拡大して居室の快適性を向上する空気調和装置の風向調整装置を得ることにある。
【００１１】
【課題を解決するための手段】
また、この発明の請求項１記載の発明に係る空気調和装置の風向調整装置においては、本体に設けられたクロスフローファンと、本体の吹出口に設けられてクロスフローファンからの吹き出し風を上下に偏向させる上下風向偏向板及び複数枚が相互に連結されて左右に偏向させる左右風向偏向板と、本体に設けられて左右風向偏向板の偏向角度を変化させる駆動手段と、この駆動手段による偏向角度の変化量を制御し左右風向偏向板の偏向角度が所定値よりも大きいときに冷房時には上下風向偏向板を下向き制御し、暖房時には上下風向偏向板を上向き制御する制御装置とが設けられる。
【００１２】
また、この発明の請求項２記載の発明に係る空気調和装置の風向調整装置においては、本体に設けられたクロスフローファンと、本体の吹出口に設けられてクロスフローファンからの吹き出し風を上下に偏向させる上下風向偏向板及び複数枚が相互に連結されて左右に偏向させる左右風向偏向板と、本体に設けられて左右風向偏向板の偏向角度を変化させる駆動手段と、この駆動手段による偏向角度の変化量を制御し冷房時には左右風向偏向板の偏向角度を縮小制御し、暖房時には左右風向偏向板の偏向角度を拡大制御する制御装置とが設けられる。
【００１３】
また、この発明の請求項３記載の発明に係る空気調和装置の風向調整装置においては、本体に設けられたクロスフローファンと、本体の吹出口に設けられてクロスフローファンからの吹き出し風を上下に偏向させる上下風向偏向板及び複数枚が相互に連結されて左右に偏向させる左右風向偏向板と、本体に設けられて左右風向偏向板の偏向角度を変化させる駆動手段と、この駆動手段による偏向角度の変化量を制御し冷房時に左右風向偏向板の偏向角度が所定値よりも大きいときは冷房運転開始から所定時間経過後に左右風向偏向板の偏向角度を縮小制御する制御装置とが設けられる。
【００１４】
【作用】
また、上記のように構成されたこの発明の請求項２記載の発明の空気調和装置の風向調整装置では、左右風向偏向板の偏向角度が所定値よりも大きいときに冷房時には上下風向偏向板が規定状態よりも下向きになり、暖房時には上下風向偏向板が規定状態よりも上向きになる。これにより、吹き出し気流の到達方向精度が向上する。
【００１５】
また、上記のように構成されたこの発明の請求項３記載の発明の空気調和装置の風向調整装置では、冷房時には左右風向偏向板の偏向角度が縮小され、暖房時には左右風向偏向板の偏向角度が拡大される。これにより、冷房時は冷風による着露が防止でき、暖房時は温風が居室の必要箇所に到達する。
【００１６】
また、上記のように構成されたこの発明の請求項４記載の発明の空気調和装置の風向調整装置では、冷房時に左右風向偏向板の偏向角度が所定値よりも大きいときは冷房運転開始から所定時間経過後に左右風向偏向板の偏向角度が縮小される。これにより、冷房運転開始時には居室の中央を避けて送風され次第に中央寄りに送風される。
【実施例】
【００１７】
実施例１．
図１〜図５は、この発明の一実施例を示す図で、図１は空気調和装置の斜視図、図２は図１の縦断側面拡大図、図３は図１の空気調和装置の送風制御装置の模式図、図４は図１の空気調和装置の送風制御体系図、図５は図１の空気調和装置の動作を説明するフローチャートである。図において、(1)は本体、(2)は本体(1)の前面を覆い吸い込み口(3)を有する前面パネル、(4)は本体(1)の前面下部に開口する吹き出し口、(5)は吸い込み口(3)に面して配置された熱交換器、(6)は本体(1)内に設けられて風路(13)を形成するケーシングである。
【００１８】
(7)は吹き出し口(4)に設けられ左右端部に装着された軸により吹き出し口(4)の左右側壁に枢着されて風向を水平、直下及び斜めの方向に変換するチェンジベーンからなる上下風向偏向板、(8)は吹き出し口(4)の左右端部の壁の間に複数枚が並設されてそれぞれ枢持され風向を左右方向に変換するガイドベーンからなる左右風向偏向板、(12a)は風路(13)の吹き出し口(4)側に設けられて電動機(18)により駆動されるクロスフローファンである。
【００１９】
(119)は左右風向偏向板(8)の傾斜角度を変化させるステッピングモータからなる駆動手段、(120)は上下風向偏向板(7)の傾斜角度を変化させるステッピングモータからなる駆動手段である。
(121)は制御装置で、電動機(18)の回転速度指令部(122)と、駆動手段(119)，(120)の駆動量検出部(123)及び駆動量指令部(124) が設けられている。
【００２０】
上記のように構成された空気調和装置の風向調整装置においては、クロスフローファン(12a)から送り出される気流は左右風向偏向板(8)及び上下風向偏向板(7)によって気流方向が制御される。そして、左右風向偏向板(8)及び上下風向偏向板(7)は駆動手段(119)，(120)によって偏向角度が変化し、また電動機(18)の回転速度は回転速度指令部(122)によって制御され、駆動手段(119)，(120)の運動量は駆動量検出部(123)及び駆動量指令部(124)によって制御される。
また、図４に制御装置(121)における上記各指令部の指令内容の決定体系を示す。
【００２１】
すなわち、冷房、暖房及び除湿等の運転条件選択、上下風向偏向角度選択、左右風向偏向角度選択及びクロスフローファン(12a)の回転速度選択、すなわち、運転モードの選択は、図示が省略してあるが各選択スイッチにより手動で選択される。なお、図４中に示す破線で囲まれた選択スイッチは自動選択も可能である。
そして、選択された各条件によって次に述べるような補正を加え、上下風向偏向角度、左右風向偏向角度及びクロスフローファン(12a)の回転速度が決定し各指令部から入力される。
【００２２】
そして、実施例１の空気調和装置の風向調整装置の動作を図５に示すフローチャートによって説明する。すなわち、ステップＳ１１で左右風向偏向板(8)偏向角度選択が行れ、右風向偏向板(8)は右方向、左風向偏向板(8)は左方向に最大に偏向したときを０パルスとして駆動手段(119)，(120)によって駆動されて偏向角度が設定される。
次いでステップＳ１２へ進み、駆動手段(119)，(120)の入力値が１６０パルス以下又は４２０パルス以上のとき、すなわち、左右風向偏向板(8)の偏向角度が２５°以上のときはステップＳ１４へ進み、クロスフローファン(12a)の回転速度を規定よりも増速する。また、左右風向偏向板(8)の偏向角度が２５°以下のときはステップＳ１３へ進んで、クロスフローファン(12a)の回転速度が規定値に設定される。
【００２３】
なお、左右風向偏向板(8)の偏向角度を２５°以上偏向させたときには吹き出し気流が剥離して居室の空気が吹き出し口(4)内に流入するため、冷房時に着露が起こり易くなる。
また、吹き出し風量が少ない程、風速の低下から吹き出し口(4)内に高温の空気が流入し易くなる。また、吹き出し風量が少ない、すなわち本体(1)内部の熱交換器(5)を通過する風量が少ないと吹き出し気流温度が低下することは明らかであり、吹き出し気流温度の低下は吹き出し口(4)各部への着露を促進する。
このため、左右風向偏向板(8)の偏向角度が２５°以上になったときはクロスフローファン(12a)の回転速度を規定よりも増速して、吹き出し気流温度を高くして居室の空気が吹き出し口(4)内に流入しないようにする。なお、以上の制御は特別な検出素子を要せず構成部品の追加を要することなく得ることができる。
【００２４】
以上のような構成によって、左右方向の送風可能領域が制約されて狭くなることにより居室全体への送風が困難となって、温度の不均一が発生して快適性が損なわれるという問題点が解消される。そして、左右方向の送風可能領域が拡大することにより居室の快適性を向上することができる。
また、上記の制御は暖房時の風量低下を抑制して居室の床面への気流到達を可能にするので、居室の快適性を向上することができる。
【００２５】
実施例２．
図６〜図８は、この発明の他の実施例を示す図で、図６はこの実施例の空気調和装置の風向調整装置の動作を説明するフローチャート、図７は図６の空気調和装置の送風状態を説明する斜視図、図８は図６の空気調和装置の他の送風状態を説明する斜視図であり、空気調和装置の風向調整装置は前述の図１〜図５と同様に構成されている。
上記のように構成された空気調和装置の風向調整装置の動作を図５に示すフローチャートによって説明する。
【００２６】
すなわち、ステップＳ２１で左右風向偏向板(8)の偏向角度が選択されてステップＳ２２へ進み、左右風向偏向板(8)の偏向角度がｙ°以上でなければ、ステップＳ２３へ進んでクロスフローファン(12a)の回転速度が規定値に設定される。
また、左右風向偏向板(8)の偏向角度がｙ°以上の場合は、ステップＳ２４へ進み運転モードが暖房でなければステップＳ２５へ進んで上下風向偏向板(7)の角度が規定値よりも下向きにされる。そして、ステップＳ２４において運転モードが暖房であればステップＳ２６へ進んで上下風向偏向板(7)の角度が規定値よりも上向きにされる。
【００２７】
例えば、暖房時に一般的には温風が下向きに吹き出され、このときに上下風向偏向板(7)の角度が規定値であれば図７に示すように吹き出し気流の居室床面における到達位置は本体(1)から等距離、すなわち本体(1)を中心とする円弧上に配置される。
そして、図７から判るとおり吹き出し気流の居室床面における到達位置は左右風向偏向角度が大きいほど本体(1)据付面寄りに配置される。
【００２８】
また、実施例２の構成において人体検知センサを用いて空気調和装置を基準として人のいる方向と、空気調和装置の据付面から人までの距離を検知して人のいる場所での快適性を向上させることが可能である。このような状況で左右風向偏向板(8)の偏向角度が大きいときに上下風向偏向板(7)の角度を上向きにして、吹き出し気流の到達位置精度を向上させて快適性を改善することができる。
なお、実施例２の構成では人体検知センサの検知エリアを考慮して左右風向偏向板(8)の偏向角度ｙ°の値を３０°と設定している。
【００２９】
また、実施例２は人体検知センサを用いて空気調和装置の他、人体検知センサが搭載されていない空気調和装置においても気流方向制御精度の向上のために有効な作用を得ることができる。
さらに、運転モードに関わらず上下風向偏向角度が所定値よりも下向きである場合に、左右風向偏向板(8)の偏向角度を大きくして上下風向偏向板(7)の角度を上向きにして、吹き出し気流の到達位置精度を向上させて快適性を改善することができる。また、空気調和装置の特性を考慮した上で、左右風向偏向板(8)の偏向角度が所定値以上のときは、常に上下風向偏向板(7)の角度を上向きに補正することにより、吹き出し気流の到達位置精度を向上させて快適性を改善することができる。
【００３０】
また、冷房時は一般的には上下風向偏向板(7)が上向きにして使用され、左右風向偏向角度が大きいときは吹き出し風量が減少し吹き出し風速が低下する。このため図８に示す矢印ａのように吹き出された気流が居室内を循環せず、吸い込み口(3)から本体(1)内に吸い込まれ易くなる。この状態では吹き出し気流温度が低下して吹き出し口(4)各部への着露が発生し居室内の快適性が阻害される。
このような不具合を解決するため、上下風向偏向板(7)の角度を下向きに補正することにより吹き出し気流の吸い込み口(3)への流入を防止する。これにより、吹き出し気流が居室内を循環して快適環境を維持することができると共に、吹き出し口(4)各部の着露も防止できる。
【００３１】
実施例３．
図９〜図１２も、この発明の他の実施例を示す図で、図９はこの実施例の空気調和装置の風向調整装置の冷暖房時の左右風向偏向板の駆動領域を示す概念図、図１０は図９に対応した左右風向偏向板の左右風向偏向例を示す概念図、図１１は図９に対応して暖房時における居室床面上５０cm温度分布を示す分布図、図１２は図９に対応した左右風向偏向角度と風量の関係を示す特性図であり、空気調和装置の風向調整装置は前述の図１〜図５と同様に構成されている。
図９に示すように左右風向偏向板(8)が複数枚により構成された空気調和装置の風向調整装置において、図９に示す吹き出し口(4)に垂直な基準線Ａを中心に、暖房時は居室内全域に送風可能な左右偏向角度４０°まで左右風向偏向板(8)が駆動される。
【００３２】
そして、暖房時の左右風向偏向板(8)の偏向駆動角度に対して、冷房時は吹き出し口(4)に着露が発生しない左右角度２５°の範囲内で左右風向偏向板(8)が偏向駆動される。
これによって、冷房時は冷風の気流循環の良さから着露防止を重視して左右風向偏向板(8)の偏向駆動範囲を制限した場合においても充分快適な居室環境が得られる。また、暖房時においては居室内を循環しにくい温風が、偏向駆動範囲を広くした左右風向偏向板(8)によって居室内の必要な箇所に到達し迅速に加温することができる。
【００３３】
また、図９〜図１２の実施例は左右風向偏向板(8)の駆動体系が２系統であるので、吹き出し気流が拡散されることにより居室内の快適性を更に向上することができる。なお、図１１ａに左右風向偏向板(8)を異角度に設定して吹き出し気流を拡散させた場合と、図１１ｂに左右風向偏向板(8)を等角度に設定した場合の、それぞれの居室床面上５０cm温度分布を示す。
図１１中に黒く塗りくぶされた位置に本体(1)が設置してあり、図１０に対応させて本体(1)から右方向に送風した状態が示されている。また、図１１中の斜線部分は温度分布の上から快適と判断される範囲であり、図１１から明らかなように気流を拡散して送風したほうがより広範囲の快適空間が得られる。
【００３４】
また、図１２に左右風向偏向板(8)角度を等角度に設定した場合の気流の主流角度とクロスフローファン(12a)の同一回転速度における風量の関係を示す。図１２から明らかなように左右を異角度に設定すると風向変化に対する風量低下が少ない。すなわち、左右風向偏向板(8)角度を等角度に設定するよりも温風の吹き出し風量が増し、性能面でも快適性の面からも優れているといえる。
なお、図９〜図１２の実施例の場合は吹き出し気流を拡散したが、制御装置(121)の特性から吹き出し気流の縮流が効果的なときもある。
【００３５】
実施例４．
図１３及び図１４も、この発明の他の実施例を示す図で、図１３はこの実施例の空気調和装置の風向調整装置の動作を説明するフローチャート、図１４は図１３の空気調和装置の動作を示す左右風向偏向板の模式図であり、空気調和装置の風向調整装置は前述の図１〜図５と同様に構成されている。
すなわち、図９〜図１２の実施例を次に述べる手法により冷房時の左右風向偏向板(8)の偏向駆動領域を拡大することが可能である。
上記のような空気調和装置の風向調整装置の動作を図１３に示すフローチャートによって説明する。
【００３６】
すなわち、ステップＳ３１で運転モードが選択されてステップＳ３２へ進み、冷房が選択されなければ、ステップＳ３３へ進んで左右風向偏向板(8)の偏向角度が規定値に設定される。
また、冷房が選択されればステップＳ３４へ進み左右風向偏向板(8)の偏向角度が２５°以上でなければステップＳ３３へ戻る。
また、ステップＳ３４で左右風向偏向板(8)の偏向角度が２５°以上であればステップＳ３５へ進み、空気調和装置の起動から所定時間経過後に左右風向偏向板(8)の偏向角度を２５°に設定する。
【００３７】
例えば、左の左右風向偏向板(8)を左に、右の左右風向偏向板(8)を右に偏向した場合に空気調和装置の起動時においては、居室温度が高いため低温の吹き出し気流は人体に不快感を与えるため、居室の人を避けて送風することが望ましい。
また、逆に居室温度が設定温度付近になった安定時においては、吹き出し気流温度と居室温度の差が少ないために気流が人体に触れると快適感が増す。
【００３８】
また、空気調和装置の起動時における快適性を増すため左右風向偏向板(8)の偏向角度を大きくし、その角度を維持して運転を継続した場合には左右風向偏向板(8)が障害となって吹き出し気流の剥離が発生する。これによって、吹き出し口(4)各部の着露の原因となるが、左右風向偏向板(8)の偏向角度を小さくすることにより着露を防止することができる。これによって吹き出し気流の剥離を解消し吹き出し口(4)各部の着露を防止することができる。
【００３９】
以上のような理由から空気調和装置の起動時には、居室にいる人に不快感を与えないよう居室の壁に沿うように送風する。そして、居室温度が低下する所定時間経過後に左右風向偏向板(8)の偏向角度を２５°に小さくすることにより、居室にいる人に気流感を与えると共に、吹き出し口(4)各部の着露を防止する。
なお、このような作用は、左右風向偏向板(8)が同一方向に偏向された場合、すなわち本体(1)の右方向又は左方向に送風されたときについても同様に得ることができる。
【００４０】
実施例５．
図１５〜図１８も、この発明の他の実施例を示す図で、図１５はこの実施例の空気調和装置の風向調整装置の動作を説明するフローチャート、図１６は図１５の空気調和装置の壁際据付例を示す平面図、図１７は図１５における送風状態を示す平面図、図１８は図１７における左右風向偏向板の偏向角度補正例を概念的に示す平面図であり、空気調和装置の風向調整装置は前述の図１〜図５と同様に構成されている。
すなわち、図９〜図１２の実施例を次に述べる手法により本体(1)の据付位置による図９における基準線Ａを補正することができる。
上記のような空気調和装置の風向調整装置の動作を図１５に示すフローチャートによって説明する。
【００４１】
すなわち、ステップＳ４１において図１６に示すように本体(1)の据付位置が左壁際か、右壁際か、それ以外かの据付状況を設定する。そして、ステップＳ４２へ進み、左壁際又は右壁際でなければステップＳ４３へ進んで左右風向偏向板(8)の偏向駆動基準線を０°に設定する。
また、ステップＳ４２で左壁際又は右壁際であればステップＳ４４へ進み図１８に示すように左右風向偏向板(8)の偏向駆動基準線を壁のない方向に３５°補正する。
【００４２】
すなわち、本体(1)の左側面に壁があるか又は右側面に壁がある場合に壁方向への送風角が大きいと吹き出し気流は図１７に実線で示すように流れ、居室内を循環せず吸い込み口(3)から吸い込まれる。また、本体(1)に図示が省略してあるが室温センサを有する場合は吹き出し口(4)から吹き出された冷温風が室温センサに直接当たって室温の誤検知を生じる可能性がある。このような状態では快適性並びに冷却及び加熱性能の両方の低下が発生することになる。
【００４３】
これに対して、壁方向への送風角度を図１７に破線で示すように壁面に、吹き出し気流が反射しない角度以下にすることによって気流の壁面反射を防止して吹き出し気流を居室内に循環させることができる。
これによって、快適性が向上すると共に、冷却及び加熱性能の両方の低下を防ぐことができる。
また、送風可能領域を壁のない方向へ拡大することができ、居室の隅々まで送風が可能となり本体(1)の据付位置に関わらずつねに居室のどの箇所へも送風することができる。
【００４４】
【発明の効果】
この発明の請求項１記載の発明は以上説明したように、本体に設けられたクロスフローファンと、本体の吹出口に設けられてクロスフローファンからの吹き出し風を上下に偏向させる上下風向偏向板及び複数枚が相互に連結されて左右に偏向させる左右風向偏向板と、本体に設けられて左右風向偏向板の偏向角度を変化させる駆動手段と、この駆動手段による偏向角度の変化量を制御し左右風向偏向板の偏向角度が所定値よりも大きいときに冷房時には上下風向偏向板を下向き制御し、暖房時には上下風向偏向板を上向き制御する制御装置とを設けたものである。
【００４５】
これによって、左右風向偏向板の偏向角度が所定値よりも大きいときに冷房時には上下風向偏向板が規定状態よりも下向きになり、暖房時には上下風向偏向板が規定状態よりも上向きになる。したがって、吹き出し気流の到達方向精度が向上し、また冷却、加熱性能の低下を防ぎ居室の快適性を向上する効果がある。
【００４６】
また、この発明の請求項２記載の発明は以上説明したように、本体に設けられたクロスフローファンと、本体の吹出口に設けられてクロスフローファンからの吹き出し風を上下に偏向させる上下風向偏向板及び複数枚が相互に連結されて左右に偏向させる左右風向偏向板と、本体に設けられて左右風向偏向板の偏向角度を変化させる駆動手段と、この駆動手段による偏向角度の変化量を制御し冷房時には左右風向偏向板の偏向角度を縮小制御し、暖房時には左右風向偏向板の偏向角度を拡大制御する制御装置とを設けたものである。
【００４７】
これによって、冷房時には左右風向偏向板の偏向角度が縮小され、暖房時には左右風向偏向板の偏向角度が拡大される。したがって、冷房時は冷風による着露が防止でき快適な居室環境が得られ、暖房時は温風が居室の必要箇所に到達して迅速に加温することができ居室の快適性を向上する効果がある。
【００４８】
また、この発明の請求項３記載の発明は以上説明したように、本体に設けられたクロスフローファンと、本体の吹出口に設けられてクロスフローファンからの吹き出し風を上下に偏向させる上下風向偏向板及び複数枚が相互に連結されて左右に偏向させる左右風向偏向板と、本体に設けられて左右風向偏向板の偏向角度を変化させる駆動手段と、この駆動手段による偏向角度の変化量を制御し冷房時に左右風向偏向板の偏向角度が所定値よりも大きいときは冷房運転開始から所定時間経過後に左右風向偏向板の偏向角度を縮小制御する制御装置とを設けたものである。
【００４９】
これによって、冷房時に左右風向偏向板の偏向角度が所定値よりも大きいときは冷房運転開始から所定時間経過後に左右風向偏向板の偏向角度が縮小される。これにより、冷房運転開始時には居室の中央を避けて送風され次第に中央寄りに送風される。したがって、冷房運転開始時には低温の吹き出し気流が人体に不快感を与えるため居室の人を避けて送風され、居室温度が設定温度付近になる安定時に吹き出し気流が人体にふれ、また、吹き出し口各部の着露が減少して居室の快適性を向上する効果がある。
【図面の簡単な説明】
【図１】  この発明の実施例１を示す空気調和装置の斜視図。
【図２】  図１の縦断側面拡大図。
【図３】  図１の空気調和装置の送風制御装置の模式図。
【図４】  図１の空気調和装置の送風制御体系図。
【図５】  図１の空気調和装置の動作を説明するフローチャート。
【図６】  この発明の実施例２を示す図で、空気調和装置の風向調整装置の動作を説明するフローチャート。
【図７】  図６の空気調和装置の送風状態を説明する斜視図。
【図８】  図６の空気調和装置の他の送風状態を説明する斜視図。
【図９】  この発明の実施例３を示す図で、空気調和装置の風向調整装置の冷暖房時の左右風向偏向板の偏向駆動領域を示す概念図。
【図１０】  図９に対応した左右風向偏向板の左右風向偏向例を示す概念図。
【図１１】  図９の構成における暖房時の居室床面上５０cmの温度分布を示す分布図。
【図１２】  図９に対応した左右風向偏向角度と風量の関係を示す特性図。
【図１３】  この発明の実施例４を示す図で、空気調和装置の風向調整装置の動作を説明するフローチャート。
【図１４】  図１３の空気調和装置の動作を示す左右風向偏向板の模式図。
【図１５】  この発明の実施例５を示す図で、空気調和装置の風向調整装置の動作を説明するフローチャート。
【図１６】  図１５の空気調和装置の壁際据付例を示す平面図。
【図１７】  図１５における送風状態を示す平面図。
【図１８】  図１７における左右風向偏向板の角度補正例を概念的に示す平面図。
【図１９】  従来の空気調和装置を示す斜視図。
【図２０】  従来の空気調和装置を示す横断面図。
【図２１】  従来の空気調和装置を示す縦断面図。
【図２２】  従来の風向調整装置の右側ガイドベーン付近の詳細説明図。
【図２３】  従来の風向調整装置のガイドベーンの斜視図。
【図２４】  従来の空気調和機の風向変更装置を示す横断面図。
【図２５】  図２４の装置の動作状態を説明した図。
【符号の説明】
４  吹出口、    ７  上下風向偏向板、    ８  ガイドベーン、左右風向偏向板、    １２ａ  クロスフローファン、    １１９  駆動手段、    １２０  駆動手段、        １２１  制御装置。
【図１】
0003784753.tif 000002
【図２】
0003784753.tif 000003
【図３】
0003784753.tif 000004
【図４】
0003784753.tif 000005
【図５】
0003784753.tif 000006
【図６】
0003784753.tif 000007
【図７】
0003784753.tif 000008
【図８】
0003784753.tif 000009
【図９】
0003784753.tif 000010
【図１０】
0003784753.tif 000011
【図１１】
0003784753.tif 000012
【図１２】
0003784753.tif 000013
【図１３】
0003784753.tif 000014
【図１４】
0003784753.tif 000015
【図１５】
0003784753.tif 000016
【図１６】
0003784753.tif 000017
【図１７】
0003784753.tif 000018
【図１８】
0003784753.tif 000019
【図１９】
0003784753.tif 000020
【図２０】
0003784753.tif 000021
【図２１】
0003784753.tif 000022
【図２２】
0003784753.tif 000023
【図２３】
0003784753.tif 000024
【図２４】
0003784753.tif 000025
【図２５】
0003784753.tif 000026